(57)【要約】【課題】  磁石を備えた、弧状面を有するスタンドと、該弧状面と対応する球状に形成される本体とを備えることにより、本体とスタンドを着脱自在にしたコンピュータ周辺機器を提供する。【解決手段】  弧状面を有するスタンドと、該弧状面と対応する球状に形成されると共に、該スタンドに着脱自在である本体とを備え、該弧状面は、スタンドの上面に形成されると共に、該スタンドの内部における、弧状面の裏側と対応する位置に磁石が設けられ、前記本体の外面に少なくとも前記弧状面に接触する１つの接触面が形成されると共に、本体の内部に機能部材と、前記接触面と対応する少なくとも１つの磁性部材とが設けられることを特徴とする。【選択図】  図１
0003133828.tif 000002
【実用新案登録請求の範囲】
【請求項１】
弧状面を有するスタンドと、該弧状面と対応する球状に形成されると共に、該スタンドに着脱自在である本体とを備え、該弧状面は、スタンドの上面に形成されると共に、該スタンドの内部における、弧状面の裏側と対応する位置に磁石が設けられ、
前記本体の外面に少なくとも前記弧状面に接触する１つの接触面が形成されると共に、本体の内部に機能部材と、前記接触面と対応する少なくとも１つの磁性部材とが設けられることを特徴とするコンピュータ周辺機器。
【請求項２】
前記スタンドは、挟持式に形成され、弧状面と、弧状面の裏側に設けられる磁石とを有する上部部材と、該上部部材と対応する底部部材と、該上部部材と底部部材を軸支する回転軸と、該回転軸に取り付けられると共に、前記上部部材と底部部材に付勢力を持たせるためのスプリングとを備えることを特徴とする請求項１に記載にコンピュータ周辺機器。
【請求項３】
前記磁性部材が弧状を呈することを特徴とする請求項１又は２に記載のコンピュータ周辺機器。
【請求項４】
前記該機能部材がカメラと、制御スイッチと、コンピュータに接続するためのケーブルとを備えることを特徴とする請求項３に記載のコンピュータ周辺機器。
【請求項５】
前記本体は、対応し合う第１半球体と第２半球体とからなり、前記機能部材は、該第１半球体に設けられ、その中の制御スイッチの一部は、本体の外側に突出するように設けられると共に、ケーブルは、第２半球体を介して本体の外側に延出し、また、該第２半球体にねじの螺合により第１半球体と結合するためのねじ穴が形成され、該ねじ穴は、ねじが嵌め込まれた後、カバー部材により開口が封止されることを特徴とする請求項４に記載のコンピュータ周辺機器。
【考案の詳細な説明】
【技術分野】
【０００１】
本考案は、特に磁石を備えた、弧状面を有するスタンドと、該弧状面と対応する球状に形成される本体とを備えることにより、本体とスタンドを着脱自在にしたコンピュータ周辺機器に関するものである。
【背景技術】
【０００２】
近年、個人や家庭レベル、更には企業レベルが、一般のパソコンや携帯電話などを用いて、快適に且つ簡単にネットによるミーティングやテレビ電話、監視用カメラなどをできるようにするために、例えば、小型カメラや卓上型マイクなどのコンピュータ周辺機器が開発された。前記コンピュータ周辺機器は主にジョイントを有するスタンドと、該スタンドのジョイントに自由に角度を変えられるように取り付けられる本体とからなるものである。
【０００３】
前記カメラなどのコンピュータ周辺機器を使用する時には、通常一人の使用者に焦点を合わせるが、時には壁に掛けてある絵やペットの猫などを相手に見せることもある。そのような時は、前記ジョイントで本体の角度を調整するが、焦点をあわせるのに時間がかかったり、撮影の対象にカメラが追い着かないことがあるので、一般にはスタンドと一緒に本体を移動させて、適当な距離を取ってから絵や猫を撮影する。
【考案の開示】
【考案が解決しようとする課題】
【０００４】
しかしながら、撮影機能を持たないスタンドを移動するのは無駄な動作であり、又、再び使用者自身を撮影する時は、該コンピュータ周辺機器を元の位置に調整し直す必要があると共に、再度角度を調整して焦点を合わせる必要もあるので、非常に不便である。
【０００５】
そこで、案出されたのが本考案であって、弧状面を有するスタンドと、該弧状面と対応する球状に形成されると共に、該スタンドに着脱自在である本体とを備え、本体のみをスタンドから外して使用できると共に、スタンドに戻す時も非常に容易であるコンピュータのコンピュータ周辺機器を提供することを目的としている。
【課題を解決するための手段】
【０００６】
本願の請求項１の考案は、弧状面を有するスタンドと、該弧状面と対応する球状に形成されると共に、該スタンドに着脱自在である本体とを備え、該弧状面は、スタンドの上面に形成されると共に、該スタンドの内部における、弧状面の裏側と対応する位置に磁石が設けられ、
前記本体の外面に少なくとも前記弧状面に接触する１つの接触面が形成されると共に、本体の内部に機能部材と、前記接触面と対応する少なくとも１つの磁性部材とが設けられることを特徴とするコンピュータ周辺機器、を提供する。
【０００７】
本願の請求項２の考案は、前記スタンドは、挟持式に形成され、弧状面と、弧状面の裏側に設けられる磁石とを有する上部部材と、該上部部材と対応する底部部材と、該上部部材と底部部材を軸支する回転軸と、該回転軸に取り付けられると共に、前記上部部材と底部部材に付勢力を持たせるためのスプリングとを備えることを特徴とする請求項１に記載にコンピュータ周辺機器、を提供する。
【０００８】
本願の請求項３の考案は、前記磁性部材が弧状を呈することを特徴とする請求項１又は２に記載のコンピュータ周辺機器、を提供する。
【０００９】
本願の請求項４の考案は、前記該機能部材がカメラと、制御スイッチと、コンピュータに接続するためのケーブルとを備えることを特徴とする請求項３に記載のコンピュータ周辺機器、を提供する。
【００１０】
本願の請求項５の考案は、前記本体は、対応し合う第１半球体と第２半球体とからなり、前記機能部材は、該第１半球体に設けられ、その中の制御スイッチの一部は、本体の外側に突出するように設けられると共に、ケーブルは、第２半球体を介して本体の外側に延出し、また、該第２半球体にねじの螺合により第１半球体と結合するためのねじ穴が形成され、該ねじ穴は、ねじが嵌め込まれた後、カバー部材により開口が封止されることを特徴とする請求項４に記載のコンピュータ周辺機器、を提供する。
【考案の効果】
【００１１】
本考案は上記の課題を解決するものであり、本体をスタンドから外して他の撮影対象を撮影した後、本体をスタンドに容易に戻すことができるので、極めて高い利便性を有する。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るコンピュータ周辺機器の斜視図であり、図２は本考案に係るコンピュータ周辺機器の分解斜視図であり、図３は本考案に係るコンピュータ周辺機器の側面断面図であり、図４は本考案に係るコンピュータ周辺機器の使用状態を示す斜視図である。
【００１４】
図１及び図２に示すように、本考案に係るコンピュータ周辺機器は、弧状面（２１１）を有するスタンド（２０）と、該弧状面（２１１）と対応する球状に形成されると共に、該スタンド（２０）に着脱自在である本体（１０）とを備え、該弧状面（２１１）は、スタンド（２０）の上面に形成され、該スタンド（２０）の内部における、弧状面（２１１）の裏側と対応する位置に磁石（２１２）が設けられる。
【００１５】
図３に示すように、本体（１０）の外面に少なくとも弧状面（２１１）に接触する１つの接触面（符号なし）が形成されると共に、前記本体（１０）の内部には、例えば、カメラやマイクなどの機能部材（１１）と、例えば鉄板或いは磁石（２１２）と相対する磁性を有する材料からなり、前記接触面と対応する位置にされる少なくとも１つの磁性部材（１２）とを有する。
【００１６】
図４に示すように、本考案に係るコンピュータ周辺機器を使用する時は、スタンド（２０）を適当な箇所に置き、磁石（２１２）と磁性部材（１２）との作用により本体（１０）の接触面を該スタンド（２０）の弧状面（２１１）に取り付け、角度を調整決定してから機能部材（１１）を作動させる。これによれば、前記本体（１０）を上下左右如何なる角度にも調整することができるので、非常に使い易い。又、一時的に別の場所へ移動させて使用する場合は、単に前記本体（１０）部分をスタンド（２０）から外し、別の場所へ移動させればよく、使用後は、スタンド（２０）の元来の位置に戻すだけでよい。
【００１７】
更に、前記スタンド（２０）は、液晶モニタの縁などに挟持して取り付けるタイプであってもよく、このようなスタンド（２０）が挟持式である実施態様においては、該スタンド（２０）は、弧状面（２１１）と、該弧状面（２１１）の裏側に設けられる磁石（２１２）とを有する上部部材（２１）と、前記上部部材（２１）と対応する底部部材（２２）と、前記上部部材（２１）と底部部材（２２）を軸支する回転軸（２３）と、該回転軸（２３）に取り付けられると共に、前記上部部材（２１）と底部部材（２２）に付勢力を持たせるためのスプリング（２４）とを備える。  
また、前記スタンド（２０）は通常、平坦な箇所に置くが、該スタンド（２０）を液晶モニタの縁などに挟持させて設置する場合は、前記上部部材（２１）と底部部材（２２）を、手でつまみ広げてから前記スプリング（２４）の付勢力により液晶モニタのヘリに挟持固定する。
【００１８】
又、前記本体（１０）における機能部材（１１）は、カメラと、制御スイッチ（１１２）と、コンピュータに接続するためのケーブル（１１１）とを備え、前記磁性部材（１２）は、弧状の鉄プレートからなることが好ましい。  
更に、前記本体（１０）は、対応し合う第１半球体（１０１）と第２半球体（１０２）とからなり、前記機能部材（１１）は、第１半球体（１０１）に設けられ、その中の制御スイッチ（１１２）の一部は、本体（１０）の外側に突出するように設けられると共に、ケーブル（１１１）は、第２半球体（１０２）を介して本体（１０）の外側に延出し、また、該第２半球体（１０２）には、ねじ（１０４）の螺合により第１半球体（１０１）と結合するためのねじ穴（図示せず）が形成され、該ねじ穴は、ねじ（１０４）が嵌め込まれた後、カバー部材（１０３）により開口が封止されることが好ましい。
【産業上の利用可能性】
【００１９】
本考案は上記の構成を有することから、前記本体（１０）は、上下左右如何なる角度にも調整することができるので、非常に使い易い。又、一時的に別の場所へ移動させて使用する場合は、単に前記本体（１０）部分をスタンド（２０）から外し、別の場所へ移動させればよく、使用後は、スタンド（２０）の元来の位置に戻すだけでよいので、実用性にも優れている。
【図面の簡単な説明】
【００２０】
【図１】本考案に係るコンピュータ周辺機器の斜視図である。
【図２】本考案に係るコンピュータ周辺機器の分解斜視図である。
【図３】本考案に係るコンピュータ周辺機器の側面断面図である。
【図４】本考案に係るコンピュータ周辺機器の使用状態を示す斜視図である。
【符号の説明】
【００２１】
１０        本体
１０１      第１半球部
１０２      第２半球部
１０３      カバー部材
１０４      ねじ
１１        機能部材
１１１      ケーブル
１１２      制御スイッチ
１２        磁性部材
２０        スタンド
２１        上部部材
２１１      弧状面
２１２      磁石
２２        底部部材
２３        回転軸
２４        スプリング
【図１】
0003133828.tif 000003
【図２】
0003133828.tif 000004
【図３】
0003133828.tif 000005
【図４】
0003133828.tif 000006